(57)【特許請求の範囲】
【請求項１】
磁気テープの長手方向に沿って順次斜めにトラックを形成するようにして上記磁気テープに記録された情報を再生する磁気再生装置において、
第１の記録方式に応じた第１のトラック幅、又は上記第１の記録方式よりもトラック幅が大きい第２の記録方式に応じた第２のトラック幅で上記磁気テープに形成された各上記トラック上を順次走査するようにして上記情報を再生する磁気ヘッド
を具え、
上記磁気ヘッドのギャップ幅が、上記第１のトラック幅よりも大きく、かつ上記第２のトラック幅よりも小さい値に設定された
ことを特徴とする磁気再生装置。
【請求項２】
上記第１の記録方式は、上記情報をディジタル信号として上記磁気テープに記録する記録方式であり、
上記第２の記録方式は、上記情報をアナログ信号として上記磁気テープに記録する記録方式であり、
上記磁気ヘッドの上記ギャップ幅が、上記第１の記録方式に応じた上記第１のトラック幅よりも上記第２の記録方式に応じた上記第２のトラック幅に近い値に設定された
ことを特徴とする請求項１に記載の磁気再生装置。
【請求項３】
上記第１の記録方式は、当該第１の記録方式に応じたテープ幅よりも幅広の上記第２の記録方式に応じた上記磁気テープに、所定のディジタル記録方式に応じたデータフォーマットの上記情報を、当該ディジタル記録方式における少なくとも２トラック分の上記情報を連続して１トラックに記録する記録方式であり、
上記第２の記録方式は、上記情報をアナログ信号として上記磁気テープに記録する記録方式である
ことを特徴とする請求項１に記載の磁気再生装置。
【請求項４】
上記第１のトラック幅は、上記情報を16.34 〔μm 〕であり、
上記第２のトラック幅は、20.5〔μm 〕であり、
上記磁気ヘッドの上記ギャップ幅が17.0〜20.0〔μm 〕の範囲内で設定された
ことを特徴とする請求項３に記載の磁気再生装置。
【請求項５】
磁気テープの長手方向に沿って順次斜めにトラックを形成するようにして上記磁気テープに記録された情報を再生する磁気再生方法において、
上記磁気テープを所定速度で走行させながら、第１の記録方式に応じた第１のトラック幅、又は上記第１の記録方式よりもトラック幅が大きい第２の記録方式に応じた第２のトラック幅で上記磁気テープに形成された各上記トラック上を順次走査するようにして上記情報を再生する第１のステップと、
上記磁気テープから再生された上記情報に対して所定の信号処理を施す第２のステップと
を具え、
上記第１のステップでは、
上記第１のトラック幅よりも大きく、かつ上記第２のトラック幅よりも小さいギャップ幅を有する上記磁気ヘッドを用いて上記磁気テープから上記情報を再生する
ことを特徴とする磁気再生方法。
【請求項６】
上記第１の記録方式は、上記情報をディジタル信号として上記磁気テープに記録する記録方式であり、
上記第２の記録方式は、上記情報をアナログ信号として上記磁気テープに記録する記録方式であり、
上記磁気ヘッドの上記ギャップ幅が、上記第１の記録方式に応じた上記第１のトラック幅よりも上記第２の記録方式に応じた上記第２のトラック幅に近い値に設定された
ことを特徴とする請求項５に記載の磁気再生方法。
【請求項７】
上記第１の記録方式は、当該第１の記録方式に応じたテープ幅よりも幅広の上記第２の記録方式に応じた上記磁気テープに、所定のディジタル記録方式に応じたデータフォーマットの上記情報を、当該ディジタル記録方式における少なくとも２トラック分の上記情報を連続して１トラックに記録する記録方式であり、
上記第２の記録方式は、上記情報をアナログ信号として上記磁気テープに記録する記録方式である
ことを特徴とする請求項５に記載の磁気再生方法。
【請求項８】
上記第１のトラック幅は、ほぼ16.34 〔μm 〕であり、
上記第２のトラック幅は、20.5〔μm 〕であり、
上記磁気ヘッドの上記ギャップ幅が17.0〜20.0〔μm 〕の範囲内で設定された
ことを特徴とする請求項７に記載の磁気再生方法。
【発明の詳細な説明】
【０００１】
【発明の属する技術分野】
本発明は磁気再生装置及び方法に関し、例えばカメラ一体型ビデオテープレコーダに適用して好適なものである。
【０００２】
【従来の技術】
従来、ディジタルビデオテープレコーダの記録方式としてＤＶ（Digital Video ）方式（IEC 61834 helical scan digital video tape cassette recording system using 6.35mm magnetic tape for consumers（525/60,625/50,1125/60and1250/50systems））があり、近年ではこのＤＶ方式に対応したカメラ一体型ビデオテープレコーダや、据え置き型のビデオテープレコーダが登場している。
【０００３】
そしてこのＤＶ方式では、使用する磁気テープ（以下、これをＤＶテープと呼ぶ）のテープ幅が6.35〔mm〕（＝１／４インチ）となっており、例えば従来のアナログビデオテープレコーダの記録方式として広く用いられているアナログ８〔mm〕方式（IEC 60843 helical scan video tape cassette recording system using 8mm magnet tape for consumer）で使用する磁気テープ（以下、これを８〔mm〕ビデオテープと呼ぶ）のテープ幅（８〔mm〕）よりも狭くなっている。
【０００４】
これにも関わらずＤＶ方式では、記録する映像音声信号を圧縮すると共に記録密度を高めているため、高い画質で長時間の記録を行うことができる利点がある。
【０００５】
【発明が解決しようとする課題】
ところでＤＶ方式とアナログ８〔mm〕方式との間には互換性がないが、例えばＤＶテープよりも幅広の８〔mm〕ビデオテープに対してＤＶ方式のデータフォーマットの映像音声信号を記録することができれば、映像音声を高品質で長時間に渡って記録することができるものと考えられる。
【０００６】
そしてこの場合において、このような記録再生を行うビデオテープレコーダを例えば現行のアナログ８〔mm〕方式に対応したビデオテープレコーダの生産設備や各種デバイスを流用して構築することができれば、資源を有効に利用しながらこのようなビデオテープレコーダを安価に構築し得るものと考えられる。
【０００７】
さらにこの場合において、かかるビデオテープレコーダによってアナログ８〔mm〕方式で８〔mm〕ビデオテープに記録された映像音声信号をも確実に再生し得るようにすることができれば、製品として高い機能性をもたせることができるものと考えられる。
【０００８】
本発明は以上の点を考慮してなされたもので、機能性を向上させ得る磁気再生装置及び方法を提案しようとするものである。
【０００９】
【課題を解決するための手段】
かかる課題を解決するため本発明においては、磁気再生装置において、磁気ヘッドのギャップ幅を、第１の記録方式に応じた第１のトラック幅よりも大きく、かつ第１の記録方式よりもトラック幅が大きい第２の記録方式に応じた第２のトラック幅よりも小さい値に設定するようにした。
【００１０】
この結果この磁気再生装置では、磁気テープに第１の記録方式で記録された情報と、第２の記録方式で記録された情報とのいずれの情報をも再生することができる。
【００１１】
また本発明においては、磁気再生方法において、第１の記録方式に応じた第１のトラック幅よりも大きく、かつ第１の記録方式よりもトラック幅の大きい第２の記録方式に応じた第２のトラック幅よりも小さい値のギャップ幅を有する磁気ヘッドを用いて磁気テープから情報を再生するようにした。
【００１２】
この結果この磁気再生方法によれば、磁気テープに第１の記録方式で記録された情報と、第２の記録方式で記録された情報とのいずれの情報をも再生することができる。
【００１３】
【発明の実施の形態】
以下図面について、本発明の一実施の形態を詳述する。
【００１４】
（１）本実施の形態による記録方式
以下に本発明を適用した記録方式について現行のアナログ８〔mm〕方式及び従来のＤＶ方式と比較しながら説明する。本発明を適用した記録方式は、８〔mm〕ビデオテープにＤＶ方式のデータフォーマットの映像音声信号を記録する方式であり、以下の説明ではディジタル８〔mm〕方式と呼ぶものとする。
【００１５】
まずアナログ８〔mm〕方式では、図１に示すように、８〔mm〕ビデオテープ１に対して直径40〔mm〕の回転ドラム２をＮＴＳＣ方式では1800/1.001〔r.p.m.〕、ＰＡＬ（Phase alfernation by Line ）方式では1500〔r.p.m.〕の回転速度で回転（矢印ａ1 方向）させなが映像音声信号を記録する。
【００１６】
この場合回転ドラム２には、例えばアジマス角の異なる２つの磁気ヘッド３Ａ、３Ｂが180 〔°〕対向した位置に搭載される。このため２つの磁気ヘッド３Ａ、３Ｂが８〔mm〕ビデオテープ１の走行方向（矢印ｂ1 ）に対して所定角度をもって順次交互に走査し、この結果この図１のように８〔mm〕ビデオテープ１の長手方向に沿って順次斜めにトラック４が形成される。
【００１７】
そしてアナログ８〔mm〕方式では、上述のように１フィールド分で１本のトラック４を形成するようにして映像音声信号を８〔mm〕ビデオテープ１に記録する。
【００１８】
またＤＶ方式では、図２に示すように、テープ幅が6.35〔mm〕のＤＶテープ５に対して直径21.7〔mm〕の回転ドラム６をＮＴＳＣ方式では9000/1.001〔r.p.m.〕、ＰＡＬ方式では9000〔r.p.m.〕の回転速度で回転（矢印ａ2 方向）させながらＤＶデータを記録する。
【００１９】
この場合においても回転ドラム６には、アジマス角の異なる２つの磁気ヘッド７Ａ、７Ｂが180 〔°〕対向した位置に搭載される。このため２つの磁気ヘッド７Ａ、７ＢがＤＶテープの走行方向（矢印ｂ2 ）に対して所定角度をもって順次交互に走査し、この結果この図２のようにＤＶテープ５の長手方向に沿って順次斜めにトラック８が形成される。
【００２０】
そしてＤＶ方式では、一方の磁気ヘッド７Ａにより形成されるトラック８をオッドトラックＯ1 、Ｏ3 、……とし、他方の磁気ヘッド７Ｂにより形成されるトラックをイーブントラックＥ2 、Ｅ4 、……としたとき、１フレーム分の映像音声信号がＮＴＳＣ方式では５本のオッドトラックＯ1 、Ｏ3 、……と５本のイーブントラックＥ2 、Ｅ4 、……の合計10本のトラック８に分割して記録され、ＰＡＬ方式では６本のオッドトラックＯ1 、Ｏ3 、……と６本のイーブントラックＥ2 、Ｅ4 、……の合計12本のトラック８に分割して記録される。
【００２１】
一方本発明を適用したディジタル８〔mm〕方式では、図３に示すように、８〔mm〕ビデオテープ１０に対してアナログ８〔mm〕方式と同径（直径40〔mm〕）の回転ドラム１１をＮＴＳＣ方式では4500/1.001〔r.p.m.〕、ＰＡＬ方式では4500〔r.p.m.〕の回転速度で回転（矢印ａ3 ）させながらＤＶ方式のデータフォーマットの映像音声信号を記録する。
【００２２】
この場合回転ドラム１１にはアジマス角の異なる２つの磁気ヘッド１２Ａ、１２Ｂが180 〔°〕対向した位置に設けられる。このため２つの磁気ヘッド１２Ａ、１２Ｂが８〔mm〕ビデオテープ１０の走行方向（矢印ｂ3 ）に対して所定角度をもって順次交互に走査し、この結果この図３のように８〔mm〕ビデオテープ１０の長手方向に沿って順次斜めにトラック１３が形成される。
【００２３】
ここでディジタル８〔mm〕方式では、８〔mm〕ビデオテープの１本のトラック１３に対してＤＶ方式における２トラック分のデータをＤＶ方式のデータパターンのまま連続して記録する。すなわちディジタル８〔mm〕方式では、ＤＶ方式におけるオッドトラックＯ1 、Ｏ3 、……のデータと、イーブントラックＥ2 、Ｅ4 、……のデータとを組にして、データの内容は変えずに１本のトラック１３として記録する。
【００２４】
例えばディジタル８〔mm〕方式では、ＤＶ方式におけるオッドトラックＯ1 のデータとイーブントラックＥ2 のデータを組にして、１本のトラック１３に連続して記録する。そして次のトラック１３にはＤＶ方式におけるオッドトラックＯ3 のデータとイーブントラックＥ4 のデータを組にして連続して記録する。そしてこの後これと同様にしてＤＶ方式における連続する２つのトラック８（図２）のデータを順次組にして１本のトラック１３に連続して記録する。
【００２５】
従ってディジタル８〔mm〕方式では、１フレーム分の映像音声信号が８〔mm〕ビデオテープ１０上にＮＴＳＣ方式では５本のトラック１３に分けて記録され、ＰＡＬ方式では６本のトラック１３に分けて記録される。
【００２６】
なお図４及び図５に、このディジタル８〔mm〕方式の具体的な記録フォーマットを示す。
【００２７】
この図４及び図５からも明らかなように、ディジタル８〔mm〕方式では、有効ラップ角が177 〔°〕に選定されている。そしてこの有効ラップ角内には、３〔°〕のギャップＩＴＧ（Inter Track Gap ）を挟んで２つのサブトラックSubTr ♯０、SubTr ♯１が設けられる。
【００２８】
このとき各サブトラックSubTr ♯０、SubTr ♯１は、それぞれ回転ドラム１１に対する巻付け角が87〔°〕の範囲に設定され、ＤＶ方式における１トラック分のデータがＤＶ方式のデータフォーマットのまま記録される。この結果有効ラップ角内において、上述のようにＤＶ方式におけるオッドトラックＯ1 、Ｏ3 、……及びイーブントラックＥ2 、Ｅ4 、……のデータがそのまま１トラック分ずつ連続されて記録される。
【００２９】
さらにこのディジタル８〔mm〕方式では、回転ドラム１１の回転位相に同期して発生するスイッチングパルスＳＷＰにより、回転ドラム１１に設けられた２つの磁気ヘッドが切り換えられる。
【００３０】
すなわち一方の磁気ヘッド１２Ａ（例えばＡch）による有効ラップ角内のデータの記録が終了した時点でスイッチングパルスＳＷＰが切り換えられ、他方の磁気ヘッド１２Ｂ（例えばＢch）の有効ラップ角内のデータの記録が開始する。なおこのスイッチングパルスＳＷＰは、回転ドラム１１が180 〔°〕回転する毎に切り換えられる。このため有効ラップ角の前段に1.5 〔°〕のマージンが発生する。
【００３１】
因に、図６及び図７に本発明を適用したディジタル８〔mm〕方式の仕様を、ＮＴＳＣ方式及びＰＡＬ方式に対応させて具体的に示す。比較のため、アナログ８〔mm〕方式及び従来のＤＶ方式の各仕様も合わせて示す。
【００３２】
このようにディジタル８〔mm〕方式では、８〔mm〕ビデオテープ１０に対してＤＶ方式における２トラック分のデータをそのままのデータパターンで連続して１トラックとして記録するようにしているため、テープ面積を有効に利用することができ、高品質の映像を長時間に渡って記録再生することができる。
【００３３】
（２）本実施の形態による磁気ヘッドの構成
ここでこのようなディジタル８〔mm〕方式により120 分の８〔mm〕ビデオテープ１０に60分のＤＶ方式のデータフォーマットの映像音声信号を記録再生でき、しかも８〔mm〕ビデオテープ１０に記録されたアナログ８〔mm〕方式の映像音声信号の再生をも行い得るようにするための磁気ヘッド１２Ａ、１２Ｂのギャップ幅について考える。
【００３４】
なお以下の説明においては、図８に示すように、磁気ヘッド１２Ａ、１２ＢのギャップＧｐにおける隙間間隔の等しい部分の幅をギャップ幅ＧｐＷと呼ぶものとする。また以下の説明においては、特にＮＴＳＣ方式の標準モードに対応させた場合について説明する。
【００３５】
この場合アナログ８〔mm〕方式では、ＮＴＳＣ方式の標準モード（ＳＰモード）のときには、１フィールドにつき１本のトラック４（図１）を20.5〔μm 〕のトラックピッチで順次形成するようにして８〔mm〕ビデオテープ１（図１）に映像音声信号を記録する。従ってＮＴＳＣ方式の標準モード時には、１秒間に60本のトラック４が８〔mm〕ビデオテープ１に形成される。
【００３６】
これに対してＤＶ方式では、１フレーム分の映像音声信号を10本のトラック８（図２）に分けて記録するため、ＮＴＳＣ方式の映像音声信号については１秒間に300 本のトラック８がＤＶテープ５（図２）に形成される。従ってディジタル８〔mm〕方式では、１秒間にＤＶ方式の半分の150 本のトラック１３（図３）が８〔mm〕ビデオテープ１０（図３）に形成されることとなる。
【００３７】
そしてアナログ８〔mm〕方式で８〔mm〕ビデオテープに120 分の映像音声信号を記録する場合の８〔mm〕ビデオテープのテープ長Ｌは、次式
【００３８】
【数１】
0004055096.tif 000002
【００３９】
のように与えられる。
【００４０】
従ってこのテープ長Ｌにディジタル８〔mm〕方式で映像音声信号を記録する場合には、その８〔mm〕ビデオテープにおけるトラックピッチをＴＷｐとして、次式
【００４１】
【数２】
0004055096.tif 000003
【００４２】
を満足するようにトラックピッチＴＷｐを選定すれば良く、このときのトラックピッチＴＷｐは16.4〔μm 〕となる。ただしこの場合、種々の条件から理想的なトラックピッチＴＷｐは16.34 〔μm 〕となる。
【００４３】
従ってディジタル８〔mm〕方式での記録再生だけを考えた場合、磁気ヘッド１２Ａ、１２Ｂのギャップ幅ＧｐＷとしては、ディジタル８〔mm〕方式のトラックピッチＴＷｐと同じ16.34 〔μm 〕が望ましい。
【００４４】
しかしながら、一般的に磁気ヘッドのギャップ幅が磁気テープにおける各トラックのトラック幅（トラックピッチに相当）よりも小さいと、磁気ヘッドからの再生出力が減少する。このため例えば磁気ヘッド１２Ａ、１２Ｂのギャップ幅ＧｐＷを16.34 〔μm 〕に選定すると、アナログ８〔mm〕方式（トラックピッチは20.5〔μm 〕）で記録された映像音声信号を再生する際に十分な再生出力が得られない問題がある。
【００４５】
一方アナログ８〔mm〕方式での再生だけを考えた場合、磁気ヘッド１２Ａ、１２Ｂのギャップ幅ＧｐＷとしては、アナログ８〔mm〕方式のトラックピッチと同じ20.5〔μm 〕程度が望ましい。
【００４６】
しかしながら一般的に磁気ヘッドのギャップ幅が磁気テープにおける各トラックのトラック幅よりも大きい場合には、隣接トラックからのクロストークが大きくなるためにＣ／Ｎ比が小さくなる（エラーレートが大きくなる）。このため磁気ヘッド１２Ａ、１２Ｂのギャップ幅ＧｐＷを20.5〔μm 〕に選定すると、ディジタル８〔mm〕方式で記録された映像音声信号を再生する際に隣接するトラック１３からのクロストークが大きくなり、十分なＣ／Ｎ比を確保することが難しい問題がある。
【００４７】
ここでアナログ８〔mm〕方式及びディジタル８〔mm〕方式において、磁気ヘッド１２Ａ、１２Ｂのギャップ幅ＧｐＷを変化させた場合のＣ／Ｎ比は、図９のようになる。なおこの図９は、ディジタル８〔mm〕方式及びアナログ８〔mm〕方式ともに、磁気ヘッド１２Ａ、１２Ｂのギャップ幅ＧｐＷとトラックピッチとが等しい場合を０〔dB〕とし、トラックピッチよりも磁気ヘッド１２Ａ、１２Ｂのギャップ幅ＧｐＷが小さいときにはノイズ（Ｎ）が一定で出力（Ｃ）のみが減少し、これに対してトラックピッチよりも磁気ヘッド１２Ａ、１２Ｂのギャップ幅ＧｐＷが大きいときには出力（Ｃ）が一定でノイズ（Ｎ）のみが増加するものと仮定した場合のシュミレーション結果である。またこの図９において、実線及び破線はそれぞれトラックピッチが16.4〔μm 〕、20.5〔μm 〕の場合を示す。
【００４８】
この図９からも明らかなように、Ｃ／Ｎ比は、アナログ８〔mm〕方式及びディジタル８〔mm〕方式のいずれの場合においても磁気ヘッド１２Ａ、１２Ｂのギャップ幅ＧｐＷが再生対象のトラックのトラックピッチよりも僅かに大きいときに最高値をとり、磁気ヘッド１２Ａ、１２Ｂのギャップ幅ＧｐＷがそれよりも大きくても、また小さくても徐々に低下してゆく。そしてこの場合Ｃ／Ｎ比が低下してゆく割合は、Ｃ／Ｎ比が最高値をとるギャップ幅ＧｐＷを基準として、これよりもギャップ幅ＧｐＷを大きくしてゆく場合に比べて、ギャップ幅ＧｐＷを小さくしてゆく場合の方が高くなる。
【００４９】
従って８〔mm〕ビデオテープに対してディジタル８〔mm〕方式で映像音声信号を記録再生でき、しかも８〔mm〕ビデオテープに記録されたアナログ８〔mm〕方式の映像音声信号をも実用上十分に再生できるようにするためには、図９に示すシュミレーション結果と、ディジタル記録再生方式の場合にはエラー訂正処理が可能であることなどを考慮すると、磁気ヘッド１２Ａ、１２Ｂのギャップ幅ＧｐＷとして、アナログ８〔mm〕方式において最高のＣ／Ｎ比が得られるギャップ幅ＧｐＷ（＝20.5〔μm 〕）に近い値を選定した方がアナログ８〔mm〕方式及びディジタル８〔mm〕方式ともにＣ／Ｎ比が良くなることが分かる。
【００５０】
そこで本実施の形態においては、磁気ヘッド１２Ａ、１２Ｂのギャップ幅ＧｐＷを19〜20〔μm 〕に選定する。これによりアナログ８〔mm〕方式で記録された映像音声信号を再生する際に十分な再生出力が得られ、またディジタル８〔mm〕方式で記録された映像音声信号を再生する際にも実用上十分なＣ／Ｎ比を得ることができる。
【００５１】
（３）本実施の形態によるビデオテープレコーダの構成
ここで図１０は、本発明を適用したカメラ一体型のビデオテープレコーダ２０を示すものである。そしてこのビデオテープレコーダ２０では、回転ドラム２１にそれぞれギャップ幅が19〜20〔μm 〕のアジマス角の異なる２つの磁気ヘッド２２Ａ、２２Ｂが180 〔°〕対向した位置に搭載されており、これら２つの磁気ヘッド２２Ａ、２２Ｂによって映像音声信号をディジタル８〔mm〕方式で８〔mm〕ビデオテープ２３に記録再生し、かつ８〔mm〕ビデオテープ２３にアナログ８〔mm〕方式で記録された映像音声信号を再生し得るようになされている。
【００５２】
実際上このビデオテープレコーダ２０では、筐体の所定位置に動作モード選択用の操作キー２４が設けられており、当該操作キー２４を操作することよってディジタル８〔mm〕方式での記録モード若しくは再生モード、又はアナログ８〔mm〕方式での再生モードのいずれかの動作モードを選択できるようになされている。
【００５３】
そしてこのビデオテープレコーダ２０においては、この操作キー２４が操作されることにより１つの動作モードが選択されると、これに応じたモード選択信号Ｓ１がコントロール部２５のモード遷移部２６を介して動作モード指定信号Ｓ２としてディジタル８〔mm〕用メカ・サーボコントローラ２７に与えられる。
【００５４】
ディジタル８〔mm〕用メカ・サーボコントローラ２７は、供給される動作モード指定信号Ｓ２に基づいて、例えばディジタル８〔mm〕方式での記録モードが指定された場合には、モータ制御部２８を介してドラムモータ２９及びキャプスタンモータ３０を制御することにより、回転ドラム２１をＮＴＳＣ方式では4500/1.001〔r.p.m.〕、ＰＡＬ方式では4500〔r.p.m.〕の回転速度で回転させる一方、当該回転ドラム２１にローディングされた８〔mm〕ビデオテープ２３をＮＴＳＣ方式の標準モード時には14.348/1.001〔mm/sec〕、長時間（ＬＰ）モード時には9.590/1.001 〔mm/sec〕の走行速度で走行させ、ＰＡＬ方式の標準モード時には14.348〔mm/sec〕、長時間モード時には9.590 〔mm/sec〕の走行速度で走行させる。
【００５５】
またディジタル８〔mm〕用メカ・サーボコントローラ２７は、これと共にディジタル８〔mm〕用信号処理部３１を制御する。このときディジタル８〔mm〕用信号処理部３１には、レンズ系及びＣＣＤ（Charge Coupled Device ）等からなる撮像部３２からアナログ波形の撮像信号Ｓ３が与えられると共に、図示しないマイクロホンから音声入出力端子３３を介してアナログ波形の音声信号Ｓ４が与えられる。
【００５６】
かくしてディジタル８〔mm〕用信号処理部３１は、ディジタル８〔mm〕用メカ・サーボコントローラ２７の制御のもとに、供給される撮像信号Ｓ３及び音声信号Ｓ４に対してアナログ／ディジタル変換処理、符号化処理、エラー訂正処理、ＡＴＦ（Automatic Track Finding ）信号の重畳処理及び変調処理等のＤＶ方式に応じた所定の記録信号処理を順次施し、得られたＤＶ方式のデータフォーマットの映像音声データ（以下、これをＤＶデータと呼ぶ）Ｄ１をヘッドドライバ３４に送出する。
【００５７】
そしてヘッドドライバ３４は、このときディジタル８〔mm〕用メカ・サーボコントローラ２７から与えられるスイッチングパルスＳＷＰに基づいて、供給されるＤＶデータＤ１を、磁気ヘッド２２Ａ、２２Ｂが８〔mm〕ビデオテープ２３上を走査するタイミングでＤＶ方式における２トラック分ずつ各磁気ヘッド２２Ａ、２２Ｂにそれぞれ順次交互に切り換えながら送出する。
【００５８】
この結果このＤＶデータＤ１は、各磁気ヘッド２２Ａ、２２ＢによってＤＶ方式における２トラック分ずつが連続して１つのトラックとして８〔mm〕ビデオテープ２３上に順次記録される。
【００５９】
このようにしてこのビデオテープレコーダ２０においては、記録モード時、撮像部３２から出力される撮像信号Ｓ１及びマイクロホンから出力される音声信号Ｓ４を図３について上述したディジタル８〔mm〕方式で８〔mm〕ビデオテープ２３に記録し得るようになされている。
【００６０】
一方ディジタル８〔mm〕メカ・サーボコントローラ２７は、動作モード指定信号Ｓ２に基づいて、例えばディジタル８〔mm〕方式での再生モードが指定された場合には、モータ制御部２８を介してドラムモータ２９及びキャプスタンモータ３０を制御することにより、上述のディジタル８〔mm〕方式での記録モード時と同じ回転速度で回転ドラム２１を回転させると共に、ディジタル８〔mm〕方式での記録モード時と同じ走行速度で８〔mm〕ビデオテープ２３を走行させる。
【００６１】
この結果回転ドラム２１が１回転する毎に当該回転ドラム２１に搭載された各磁気ヘッド２２Ａ、２２Ｂによってそれぞれ８〔mm〕ビデオテープ２３における１トラック分（ＤＶ方式における２トラック分）のＤＶデータＤ１が順次再生され、これがヘッドドライバ３４を介してディジタル８〔mm〕用信号処理部３１に与えられる。
【００６２】
そしてディジタル８〔mm〕用信号処理部３１は、ディジタル８〔mm〕用メカ・サーボコントローラ２７の制御のもとに駆動して、このＤＶデータＤ１に対して復調処理、エラー訂正処理、復号処理及びディジタル／アナログ変換処理等のＤＶ方式に応じた所定の再生信号処理を施し、かくして得られた映像信号を再生映像信号Ｓ５として映像入出力端子３５を介して外部に出力する一方、得られた音声信号を再生音声信号Ｓ６として音声入出力端子３４を介して外部に出力する。
【００６３】
またこのときディジタル８〔mm〕用信号処理部３１は、ＤＶデータＤ１に重畳されているＡＴＦ信号Ｓ７を分離抽出し、これをディジタル８〔mm〕用メカ・サーボコントローラ２７に送出する。そしてディジタル８〔mm〕用メカ・サーボコントローラ２７は、このＡＴＦ信号Ｓ７に基づいてモータ制御部２８を介してキャプスタンモータ３０の回転速度を制御するようにしてトラッキング制御する。
【００６４】
このようにしてこのビデオテープレコーダ２０は、ディジタル８〔mm〕方式での再生モード時、図３について上述したディジタル８〔mm〕方式で８〔mm〕ビデオテープ２３に記録されたＤＶデータＤ１を再生して外部に出力し得るようになされている。
【００６５】
これに対してディジタル８〔mm〕用メカ・サーボコントローラ２７は、動作モード指定信号Ｓ２に基づいて、例えばアナログ８〔mm〕方式での再生モードが指定された場合には、これを知らせるモード遷移信号Ｓ８をコントロール部２５を介してアナログ８〔mm〕用メカ・サーボコントローラ３６に送出する。
【００６６】
このときアナログ８〔mm〕用メカ・サーボコントローラ３６は、モード遷移信号Ｓ８に基づいて、モータ制御部２８を介してドラムモータ２９及びキャプスタンモータ３０を制御することにより、回転ドラム２１をＮＴＳＣ方式では1800/1.001〔r.p.m.〕、ＰＡＬ方式では1500〔r.p.m.〕の回転速度で回転させる一方、８〔mm〕ビデオテープ２３をＮＴＳＣ方式の標準モード時には14.354〔mm/sec〕、長時間モード時には7.186 〔mm/sec〕の走行速度で走行させ、ＰＡＬ方式の標準モード時には20.051〔mm/sec〕、長時間モード時には10.058〔mm/sec〕の走行速度で走行させる。
【００６７】
この結果回転ドラム２１が１回転する毎に８〔mm〕ビデオテープ２３にアナログ８〔mm〕方式で記録された映像音声信号Ｓ１０が各磁気ヘッド２２Ａ、２２Ｂによってそれぞれ１トラック分ずつ順次再生され、これがヘッドドライバ３４を介してアナログ８〔mm〕用信号処理部３７に与えられる。
【００６８】
このときアナログ８〔mm〕用信号処理部３７は、アナログ８〔mm〕用メカ・サーボコントローラ３６の制御のもとに、供給される映像音声信号Ｓ１０に対してアナログ８〔mm〕方式に応じた所定の信号処理を施し、かくして得られたアナログ波形の映像信号を再生映像信号Ｓ５として映像入出力端子３５を介して外部に出力すると共に、アナログ波形の音声信号を再生音声信号Ｓ６として音声入出力端子３３を介して外部に出力する。
【００６９】
またこのときアナログ８〔mm〕用信号処理部３７は、映像音声信号Ｓ１０に重畳されているＡＴＦ信号Ｓ１１を分離抽出し、これをアナログ８〔mm〕用メカ・サーボコントローラ３６に送出する。そしてアナログ８〔mm〕用メカ・サーボコントローラ３６は、このＡＴＦ信号Ｓ１１に基づいてモータ制御部２８を介してキャプスタンモータ３０の回転速度を制御するようにしてトラッキング制御する。
【００７０】
このようにしてこのビデオテープレコーダ２０は、アナログ８〔mm〕方式での再生モード時、アナログ８〔mm〕方式で８〔mm〕ビデオテープ２３に記録された映像音声信号を再生して外部に出力し得るようになされている。
【００７１】
なおこのビデオテープレコーダ２０の場合、ディジタル８〔mm〕方式での再生モード時には、ヘッドドライバ３４の出力がディジタル８〔mm〕用メカ・サーボコントローラ２７のアナログ８〔mm〕信号検出部３８に与えられる。
【００７２】
そしてこのときアナログ８〔mm〕信号検出部３８は、このヘッドドライバ３４の出力を常時監視し、アナログ８〔mm〕方式の信号（すなわち映像音声信号Ｓ１０）を検出したときには、これを知らせるアナログ８〔mm〕検出信号Ｓ１２をコントロール部２５のモード切替え部３９に送出する。またモード切替え部３９は、アナログ８〔mm〕検出信号Ｓ１２が与えられると、これに応じたモード切替え信号Ｓ１３をディジタル８〔mm〕用メカ・サーボコントローラ２７に送出する。
【００７３】
さらにディジタル８〔mm〕用メカ・サーボコントローラ２７は、モード切替え信号Ｓ１３が与えられると、ディジタル８〔mm〕用信号処理部３１の信号処理動作を停止させると共にモータ制御部２８を介したドラムモータ２９及びキャプスタンモータ３０の制御を停止させる一方、モード遷移信号Ｓ８をコントロール部２５を介してアナログ８〔mm〕用メカ・サーボコントローラ３６に送出する。
【００７４】
そしてアナログ８〔mm〕用メカ・サーボコントローラ３６は、供給されるモード遷移信号Ｓ８に基づいて、モータ制御部２８を介してドラムモータ２９及びキャプスタンモータ３０を制御することによりこれらを上述のアナログ８〔mm〕方式での再生モード時と同様に回転させる一方、アナログ８〔mm〕用信号処理部３７を制御して上述のアナログ８〔mm〕方式での再生モード時と同様の信号処理動作を開始させる。
【００７５】
このようにしてこのビデオテープレコーダ２０においては、ディジタル８〔mm〕方式での再生モード時にアナログ８〔mm〕方式の信号を再生したときには、動作モードをアナログ８〔mm〕方式での再生モードに切り替える。
【００７６】
またこれと同様にして、このビデオテープレコーダ２０では、アナログ８〔mm〕方式での再生モード時にはヘッドドライバ３４の出力がアナログ８〔mm〕用メカ・サーボコントローラ３６のディジタル８〔mm〕信号検出部４０に与えられる。
【００７７】
そしてこのときディジタル８〔mm〕信号検出部４０は、このヘッドドライバ３４の出力を常時監視し、ディジタル８〔mm〕方式の信号（すなわちＤＶデータＤ１）を検出したときには、これを知らせるディジタル８〔mm〕検出信号Ｓ１４をコントロール部２５のモード切替え部３９に送出する。またモード切替え部３９は、ディジタル８〔mm〕検出信号Ｓ１４が与えられると、これに応じたモード切替え信号Ｓ１３をディジタル８〔mm〕用メカ・サーボコントローラ２７に送出する。
【００７８】
さらにディジタル８〔mm〕用メカ・サーボコントローラ２７は、モード切替え信号Ｓ１３が与えられると、モード遷移信号Ｓ８をコントロール部２５を介してアナログ８〔mm〕用メカ・サーボコントローラ３６に送出する。
【００７９】
この結果アナログ８〔mm〕用メカ・サーボコントローラ３６は、このモード遷移信号Ｓ１３に基づいてアナログ８〔mm〕用信号処理部３７を制御することにより信号処理動作を停止させると共に、モータ制御部２８を介したドラムモータ２９及びキャプスタンモータ３０の制御を停止する。
【００８０】
またこのときディジタル８〔mm〕用メカ・サーボコントローラ２７は、モータ制御部２８を介してドラムモータ２９及びキャプスタンモータ３０を制御することによりこれらを上述のディジタル８〔mm〕方式での再生モード時と同様に回転させる一方、ディジタル８〔mm〕用信号処理部３１を制御することにより上述のディジタル８〔mm〕方式での再生モード時と同様の信号処理動作を開始させる。
【００８１】
このようにしてこのビデオテープレコーダ２０においては、アナログ８〔mm〕方式での再生モード時にディジタル８〔mm〕方式の信号を再生したときには、動作モードをディジタル８〔mm〕方式での再生モードに切り替えるようになされている。
【００８２】
（３）本実施の形態の動作及び効果
以上の構成において、このビデオテープレコーダ２０では、ディジタル８〔mm〕方式での記録モード及び再生モード時、ＤＶ方式のデータフォーマットのＤＶデータＤ１を回転ドラム２１に搭載された２つの磁気ヘッド２２Ａ、２２Ｂによって順次交互に８〔mm〕ビデオテープ２３に１トラック分ずつ（ＤＶ方式における２トラック分ずつ）記録し、又は１トラック分ずつ再生する。
【００８３】
またこのビデオテープレコーダ２０では、アナログ８〔mm〕方式での再生モード時、アナログ８方式の映像音声信号Ｓ１０を２つの磁気ヘッド２２Ａ、２２Ｂによって順次交互に１トラック分（すなわち１フィールド分ずつ）ずつ再生する。
【００８４】
従ってこのビデオテープレコーダ２０では、ＤＶテープよりも幅広の８〔mm〕ビデオテープにＤＶ方式における２トラック分のデータを連続して１トラックとして記録する分、テープ面積を有効に利用することができ、その分高品質の映像音声信号を長時間に渡って記録することができる。
【００８５】
またこの場合においてこのビデオテープレコーダ２０では、磁気ヘッド２２Ａ、２２Ｂとしてギャップ幅が19〜20〔μm 〕のものを用いるようにしているため、８〔mm〕ビデオテープ２３にアナログ８〔mm〕方式で記録された映像音声信号Ｓ１０を再生する際に十分な再生出力が得られ、またディジタル８〔mm〕方式で記録されたＤＶデータＤ１を再生する際にも実用上十分なＣ／Ｎ比を得ることができる。
【００８６】
以上の構成によれば、磁気ヘッド２２Ａ、２２Ｂのギャップ幅を19〜20〔μm 〕に設定するようにしたことにより、８〔mm〕ビデオテープ２３にディジタル８〔mm〕方式で記録されたＤＶデータＤ１及びアナログ８〔mm〕方式で記録された映像音声信号Ｓ１０のいずれをも効率良く再生し得るようにすることができ、かくして高品質の映像音声を長時間に渡って記録再生し得る機能性の高いビデオテープレコーダを実現できる。
【００８７】
（４）他の実施の形態
なお上述の実施の形態においては、本発明をアナログ８〔mm〕方式及びディジタル８〔mm〕方式の信号を再生し得るようになされたカメラ一体型のビデオテープレコーダ２０に適用するようにした場合について述べたが、本発明はこれに限らず、要は、第１の記録方式に応じた第１のトラック幅、又は第１の記録方式よりもトラック幅が大きい第２の記録方式に応じた第２のトラック幅で磁気テープに順次斜めに形成されたトラック上を磁気ヘッドで順次走査させるようにして当該磁気テープに記録された情報を再生するこの種々の磁気再生装置に広く適用することができる。
【００８８】
この場合において、上述の実施の形態においては、磁気テープに記録された情報が映像音声信号（ＤＶデータＤ１、映像音声信号Ｓ１０）である場合について述べたが、本発明はこれに限らず、磁気テープに記録された映像音声情報以外の情報であっても良い。
【００８９】
また上述の実施の形態においては、磁気ヘッド２２Ａ、２２Ｂのギャップ幅をシュミレーション結果に基づいて19〜20〔μm 〕程度に設定するようにした場合について述べたが、本発明はこれに限らず、例えば磁気ヘッド２２Ａ、２２Ｂの性能や、サイドイレーズの影響、及び磁気ヘッド２２Ａ、２２Ｂが磁気テープ２３上を走査する際の直線性等を考慮して磁気ヘッド２２Ａ、２２Ｂのギャップ幅を17.0〜20.0に設定するようにしても良く、要は、磁気ヘッド２２Ａ、２２Ｂのギャップ幅を、アナログ８〔mm〕方式に応じたトラック幅（20.5〔μm 〕）よりも小さく、かつディジタル８〔mm〕方式に応じたトラック幅（16.34 〔μm 〕）よりも大きく設定するようにするのであれば、磁気ヘッド２２Ａ、２２Ｂのギャップ幅としては、この他種々の値を広く適用することができる。
【００９０】
【発明の効果】
上述のように本発明によれば、磁気再生装置において、磁気ヘッドのギャップ幅を、第１の記録方式に応じた第１のトラック幅よりも大きく、かつ第１の記録方式よりもトラック幅が大きい第２の記録方式に応じた第２のトラック幅よりも小さい値に設定するようにしたことにより、磁気テープに第１の記録方式で記録された情報と、第２の記録方式で記録された情報とのいずれをも再生することができ、かくして機能性を向上させ得る磁気再生装置を実現できる。
【００９１】
また本発明によれば、磁気再生方法において、第１の記録方式に応じた第１のトラック幅よりも大きく、かつ上記第１の記録方式よりもトラック幅の大きい第２の記録方式に応じた第２のトラック幅よりも小さい値のギャップ幅を有する上記磁気ヘッドを用いて上記磁気テープから上記情報を再生するようにしたことにより、磁気テープに第１の記録方式で記録された情報と、第２の記録方式で記録された情報とのいずれをも再生することができ、かくして機能性を向上させ得る磁気再生方法を実現できる。
【図面の簡単な説明】
【図１】アナログ８〔mm〕方式における記録フォーマットの説明に供する略線図である。
【図２】従来のＤＶ方式における記録フォーマットの説明に供する略線図である。
【図３】ディジタル８〔mm〕方式における記録フォーマットの説明に供する略線図である。
【図４】ディジタル８〔mm〕方式の具体的な説明に供する略線図である。
【図５】ディジタル８〔mm〕方式の具体的な説明に供する略線図である。
【図６】各種記録方式の仕様を示す図表である。
【図７】各種記録方式の仕様を示す図表である。
【図８】磁気ヘッドのギャップ幅の説明に供する略線図である。
【図９】磁気ヘッドのギャップ幅とＣ／Ｎ比の関係を示す特性曲線図である。
【図１０】本実施の形態によるビデオテープレコーダの構成を示すブロック図である。
【符号の説明】
１、１０、２３……８〔mm〕ビデオテープ、１１、２１……回転ドラム、１２Ａ、１２Ｂ、２２Ａ、２２Ｂ……磁気ヘッド、２０……ビデオテープレコーダ、２７……ディジタル８〔mm〕用メカ・サーボコントローラ、２９……ドラムモータ、３０……キャプスタンモータ、３１……ディジタル８〔mm〕用信号処理部、３６……アナログ８〔mm〕用メカ・サーボコントローラ、３７……アナログ８〔mm〕用信号処理部、Ｄ１……ＤＶデータ、ＧｐＷ……ギャップ幅、Ｓ３……撮像信号、Ｓ１０……映像音声信号。
【図１】
0004055096.tif 000004
【図２】
0004055096.tif 000005
【図３】
0004055096.tif 000006
【図４】
0004055096.tif 000007
【図５】
0004055096.tif 000008
【図６】
0004055096.tif 000009
【図７】
0004055096.tif 000010
【図８】
0004055096.tif 000011
【図９】
0004055096.tif 000012
【図１０】
0004055096.tif 000013